(57)【要約】      （修正有）【課題】疲労せず作業効率向上、携帯に便利で安価な多用途農業器具を提供する。【解決手段】田畑の畝を覆うビニールシートの長さ方向に、適当間隔をおいて押えて止める押え具を抜き取る抜き取り具と、田畑に生える雑草などを引き抜く除草部を一体に構成して、単一の器具を複数用途に用いられるようにしたことを特徴としている。【選択図】図１
0003139424.tif 000002
【実用新案登録請求の範囲】
【請求項１】
先端を尖らせて尖頭部とした抜き取り部と、先端を二叉部とした除草部が、背中合わせになるよう一体にせる主体部と、該主体部を一体に結合させた把手部とより構成せる多用途農業用器具。
【請求項２】
前記抜き取り部と除草部は、金属材よりなり溶接等により一体にしてなる前記請求項１記載の多用途農業器具。
【請求項３】
前記抜き取り部と除草部は、樹脂材により一体に成型してなる前記請求項１記載の多用途農業器具。
【請求項４】
先端を二叉部とした除草部と該除草部を先端部に備えた主体部と該主体部と一体に延びた丈長の把手部とよりなり、主体部と把手部とが総合して、使用時に使用者が背中を曲げなくても使用できるように長くした農業用器具。
【請求項５】
主体部と把手部は両者の接合部を調節可能にして全体の長さを調節できるようにして使用者の背丈に応じて使い分けを行うようにした農業用器具。
【考案の詳細な説明】
【技術分野】
【０００１】  本考案は、農耕した田畑の畝を覆うビニールシートの長さ方向に、適当間隔をおいて押えて止める押え具を抜き取る抜き取り部と、雑草などを引き抜く除草部を一体にして、複数用途に用いられるようにした多用途農業器具に関するものである。【０００２】  更に、雑草などを引き抜には、使用者が背かがみにならなくても使用できるように丈長にして、使用者に過度な負担が生じないようにした農業用器具に関するものである。
【背景技術】
【０００３】  従来、田畑の雑草を防ぐためにビニールシートを覆って、これを適当間隔にて地面に押し止め固定を行っていた。この押え具を引き抜く為に専用の抜き取り部を有する器具が存在する。また、雑草などを引き抜くために除草部を有する短丈の器具が存在していた。【０００４】  上記の各機能を備えた器具は、夫々その用途にのみ用いられるものであった。
【考案の開示】
【考案が解決しようとする課題】
【０００５】  上記従来技術の農業器具は、ビニールシートの押さえ具の引き抜きには、それに対応した専用の器具、雑草などの引抜には、それに対応した器具が夫々別個に用いられているのが現状である。【０００６】  上記の状況では、農作業時には二つの作業が同時に行う事が出来ず、そのためには二つの器具を持ちながら作業を行わなければならないので、携帯に不便であり、作業能率を低下させる原因となっていた。【０００７】  本考案は、このような課題を解決し、農作業の効率を図り、器具の保管、紛失などに配慮することがないようにしたものである。
【課題を解決するための手段】
【０００８】  本考案は、先端を尖らせて尖頭部とした抜き取り部と、先端を二叉部とした除草部が、背中合わせになるよう一体にせる主体部と、該主体部を一体に結合させた把手部とよりなることを特徴としている。【０００９】  更に、前記抜き取り部と除草部は、金属材により溶接等により一体にしてなることを特徴としている。【００１０】  また、前記抜き取り部と除草部は、樹脂材により一体に成型してなることを特徴としている。【００１１】  また、先端部を二叉部とした除草部と該除草部を先端部に備えた主体部と該主体部と一体に延びた丈長の把手部とよりなり、主体部と把手部とが総合して、使用時に使用者が背中を曲げなくても使用できるように長くしたことを特徴としている。
【考案の効果】
【００１２】  本考案の多用途農業機具は抜き取り部と除草部が、背中合わせになるよう一体にし、これを把手部に結合させたので、農作業時には多用途に使用することができ、作業効率の向上を図る事ができる。【００１３】  更に、抜き取り部と除草部は、金属材により溶接にて一体にするか或いは樹脂材により一体成型にするので、必要に応じてコストを考慮した器具を提供する事ができる。【００１４】  更にまた、二叉部とした除草部を備えた主体部と把手部が総合して丈長にしたので、使用者は背中を曲げずに使用でき疲労を招くこと防止する。
【考案を実施するための最良の形態】
【００１５】  本考案の多用途農業器具を、図１、図２、図３に基づいて説明する。
図１は、本考案の多用途農業器具の斜面図、図２は、他の実施例を示す要部斜面図、図３は、同じく他の実施例を示す要部斜面図である。【００１６】  本考案は、抜き取り部１と、除草部２を備えた主体部３と、この主体部と一体に結合せる把手部４とにより構成される。
前記抜き取り部１は主体部３よりＬ型に延びて先端になるにつれて先細りになり、先端を尖らせて尖頭部５としており、除草部２は同じく主体部３よりＬ型に延びて先端を二叉部６とし、この二叉部と尖頭部５は互いに逆方向になるよう配設される。図１には、主体部３は金属材による断面四角形状もものが示され、主体部において溶接結合されている。図２では、樹脂材或いは金属材により主体部３、抜き取り部１、除草部２を一体に成型しているものが示されている。【００１７】  前記把手部４は、図１の実施例では木材、図２の実施例では樹脂材による一体成型が示されており、夫々握り部７と拡張部８を備え、使用時に人の手から抜けるのを防いでいる。【００１８】  図２に示す主体部３と把手部４は一体成型になれば、上部と下部とによって夫々の機能を行うこととなる。【００１９】  図３示す農業器具は、主体部３と把手部４は一体に成型されているが、夫々別体に成型してこれを一体に結合してもよく、把手部４の材料は材木、金属あるいは樹脂の何れで良く全体として、丈長にしている。又、拡張部８は図示のものは、円筒形であるが、Ｔ字型にすることも可能である。
【図面の簡単な説明】
【００２０】
【図１】  本考案の多用途農業器具の斜面図
【図２】  同じく他の実施例の斜面図
【図３】  同じく他の実施例の斜面図
【符号の説明】
【００２１】    １  抜き取り部
２  除草部
３  主体部
４  把手部
５  尖頭部
６  二叉部
７  握り部
８  拡張部
【図１】
0003139424.tif 000003
【図２】
0003139424.tif 000004
【図３】
0003139424.tif 000005
【手続補正書】
【提出日】平成19年11月1日(2007.11.1)
【手続補正１】
【補正対象書類名】実用新案登録請求の範囲
【補正対象項目名】全文
【補正方法】変更
【補正の内容】
【実用新案登録請求の範囲】
【請求項１】
先端を尖らせて尖頭部とした抜き取り部と、先端を二叉部とした除草部が、背中合わせになるよう一体にせる主体部と、該主体部を一体に結合させた把手部とより構成せる多用途農業用器具。
【請求項２】
前記抜き取り部と除草部は、金属材よりなり溶接等により一体にしてなる前記請求項１記載の多用途農業用器具。
【請求項３】
前記抜き取り部と除草部は、樹脂材により一体に成型してなる前記請求項１記載の多用途農業用器具。
【請求項４】
先端を二叉部とした除草部と該除草部を先端部に備えた主体部と該主体部と一体に延びた丈長の把手部とよりなり、主体部と把手部とが総合して、使用時に使用者が背中を曲げる事なく使用できるように長くした前記請求項１記載の多用途農業用器具。
【請求項５】
主体部と把手部は両者の接合部を調節可能にして全体の長さを調節できるようにして使用者の背丈に応じて使い分けを行うようにした前記請求項１記載の多用途農業用器具。